(57)【要約】【課題】アナログコンポーネント接続された機器間において伝送される高精細アナログコンポーネント信号の複製制御を可能にする。【解決手段】映像信号処理装置４１には、所定のラインにＣＧＭＳが重畳され、さらにＣＧＭＳが重畳されるラインとは異なるラインに認証情報が重畳される高精細アナログコンポーネント信号が入力される。映像信号処理装置４１では、ＣＧＭＳ検出部６５によってＣＧＭＳの検出が行われる。ＣＧＭＳが複製を許可する情報であるときは、ＣＧＭＳに従った処理が行われる。ＣＧＭＳが複製禁止を示す情報であるときは、さらに認証情報検出部６６によって認証情報の検出が行われる。映像信号処理装置４１では、認証情報を使用して認証処理が行われ、認証が成立するときは複製が許可されたものとして記録処理が行われる。認証が成立しないときは、ＣＧＭＳに従った処理が行われる。【選択図】図５
2006313957.tif 000002
【特許請求の範囲】
【請求項１】
高精細アナログコンポーネント信号の所定のラインに重畳された複製制御情報を検出する複製制御情報検出部と、
上記所定のラインとは異なるラインに重畳された認証情報を検出する認証情報検出部と、
記録処理を制御する制御部とを備え、
上記複製制御情報によって記録を制御する第１のモードと、上記複製制御情報および上記認証情報によって記録を制御する第２のモードとの一方が設定可能とされる映像信号処理装置。
【請求項２】
高精細アナログコンポーネント信号の所定のラインに重畳された複製制御情報を検出する複製制御情報検出部と、
上記所定のラインとは異なるラインに重畳された認証情報を検出する認証情報検出部と、
記録処理を制御する制御部とを備え、
上記複製制御情報によって記録を制御する第１のモードと、上記複製制御情報および上記認証情報によって記録を制御する第２のモードとの一方が設定可能とされ、
上記制御部は上記第２のモードにおいて、複製制御情報が複製を許可する情報である場合は該複製制御情報に基づいて記録を行い、複製制御情報が複製を禁止する情報である場合は認証情報を検出し、該認証情報を使用して認証処理を行い、認証が成立する場合は複製が許可されたとして記録を行い、認証が成立しない場合は記録を禁止するように記録処理を制御する映像信号処理装置。
【請求項３】
高精細アナログコンポーネント信号の所定のラインに重畳された複製制御情報を検出する複製制御情報検出部と、
上記所定のラインとは異なるラインに重畳された認証情報を検出する認証情報検出部と、
記録再生処理を制御する制御部とを備え、
上記複製制御情報によって記録を制御し、さらに出力される映像信号に対して複製制御情報を重畳する第１のモードと、上記複製制御情報および上記認証情報によって記録を制御し、さらに出力される映像信号に対して複製制御情報および認証情報を重畳する第２のモードとの一方が設定可能とされる映像信号処理装置。
【請求項４】
高精細アナログコンポーネント信号の所定のラインに重畳された複製制御情報を検出する複製制御情報検出ステップと、
上記所定のラインとは異なるラインに重畳された認証情報を検出する認証情報検出ステップと、
記録処理を制御する制御ステップとを有し、
上記複製制御情報によって記録を制御する第１のモードと、上記複製制御情報および上記認証情報によって記録を制御する第２のモードとの一方が設定可能とされる映像信号処理方法。
【請求項５】
高精細アナログコンポーネント信号の所定のラインに重畳された複製制御情報を検出する複製制御情報検出ステップと、
上記所定のラインとは異なるラインに重畳された認証情報を検出する認証情報検出ステップと、
記録処理を制御する制御ステップとを有し、
上記複製制御情報によって記録を制御する第１のモードと、上記複製制御情報および上記認証情報によって記録を制御する第２のモードとの一方が設定可能とされ、
上記制御ステップは上記第２のモードにおいて、複製制御情報が複製を許可する情報である場合は該複製制御情報に基づいて記録を行い、複製制御情報が複製を禁止する情報である場合は認証情報を検出し、該認証情報を使用して認証処理を行い、認証が成立する場合は複製が許可されたとして記録を行い、認証が成立しない場合は記録を禁止するように記録処理を制御するステップである映像信号処理方法。
【請求項６】
高精細アナログコンポーネント信号の所定のラインに重畳された複製制御情報を検出する複製制御情報検出ステップと、
上記所定のラインとは異なるラインに重畳された認証情報を検出する認証情報検出ステップと、
記録再生処理を制御する制御ステップとを有し、
上記複製制御情報によって記録を制御し、さらに出力される映像信号に対して複製制御情報を重畳する第１のモードと、上記複製制御情報および上記認証情報によって記録を制御し、さらに出力される映像信号に対して複製制御情報および認証情報を重畳する第２のモードとの一方が設定可能とされる映像信号処理方法。
【請求項７】
上記認証情報は、固有の認証手段を用いて演算が施されることで、演算の結果が一意に規定される情報である請求項４、請求項５または請求項６に記載の映像信号処理方法。
【請求項８】
映像信号入力装置と映像信号出力装置との間で高精細アナログコンポーネント信号が伝送される映像信号伝送システムにおいて、
映像信号入力装置は、
高精細アナログコンポーネント信号の所定のラインに重畳された複製制御情報を検出する複製制御情報検出部と、
上記所定のラインとは異なるラインに重畳された認証情報を検出する認証情報検出部と、
記録処理を制御する制御部とを備え、
上記複製制御情報によって記録を制御する第１のモードと、上記複製制御情報および上記認証情報によって記録を制御する第２のモードとの一方が設定可能とされ、
映像信号出力装置は、
高精細アナログコンポーネント信号の所定のラインに重畳された複製制御情報を検出する複製制御情報検出部と、
上記所定のラインとは異なるラインに重畳された認証情報を検出する認証情報検出部と、
記録再生処理を制御する制御部とを備え、
上記複製制御情報によって記録を制御し、さらに出力される映像信号に対して複製制御情報を重畳する第１のモードと、上記複製制御情報および上記認証情報によって記録を制御し、さらに出力される映像信号に対して複製制御情報および認証情報を重畳する第２のモードとの一方が設定可能とされること
を特徴とする映像信号伝送システム。
【発明の詳細な説明】
【技術分野】
【０００１】
この発明は、映像信号処理装置および映像信号処理方法ならびに映像信号伝送システムに関し、例えば、固有の機器間におけるアナログハイビジョン映像信号の複製制御に好適な映像信号処理装置および映像信号処理方法ならびに映像信号伝送システムに関する。
【背景技術】
【０００２】
従来から、著作権保護のため、映像信号の不正な複製を防止する種々の複製制御方法が提案されている。
【０００３】
映像信号がデジタル映像信号である場合は、例えば、デジタル映像信号に対して暗号化処理を施し特定の視聴者しか映像を視聴できない方法や、デジタル映像信号に複製制御情報の制御データを多重して不正なコピーを防止する方法が提案されている。
【０００４】
一方、映像信号がＮＴＳＣ(National Television System Committee)方式のアナログ映像信号の場合は、例えば、ＶＴＲ（Video Tape Recorder）は映像信号に挿入された擬似同期信号によりＡＧＣ（Automatic Gain Control）を行い、モニターは擬似同期信号に反応しないＡＧＣ方式を採用することで、ＶＴＲ側での正常な記録を妨げる方法が提案されている。また、他の方法として、ＶＴＲとモニターのＡＰＣ（Automatic Phase Control）の違いを利用して、再生用のＶＴＲから記録用のＶＴＲに映像信号を供給するときに、映像信号のカラーバースト信号を部分的に位相反転してＶＴＲでの正常な記録を妨げる方法が提案されている。
【０００５】
また、複製世代の管理を行うことができる複製制御方式として、ＣＧＭＳ（Copy Generation Management System）が提案されている。このＣＧＭＳ方式における複製制御情報は、アナログ映像信号の場合（ＣＧＭＳ−Ａと称される）は、垂直ブランキング期間の所定のラインに２ビットの情報として重畳される。また、デジタル映像信号の場合（ＣＧＭＳ−Ｄと称される）は、デジタル映像データに付加情報として２ビットの複製制御信号が挿入される。
【０００６】
ここで、ＣＧＭＳ（ＣＧＭＳ−ＡおよびＣＧＭＳ−Ｄ）の複製制御用の２ビットの情報の意味は、
「００」・・・複製可能
「１０」・・・１回（１世代のみ）複製可能
「１１」・・・複製禁止
とされている。
【０００７】
下記特許文献１には、コピーコントロール情報を利用して発生させたスクランブル鍵を用いることで不正な複製を防止するようにした映像信号処理装置等に関する発明が記載されている。
【０００８】
【特許文献１】特開２０００−３２４４６８号公報
【０００９】
また、下記特許文献２には、著作権保護のために行われる映像信号に対するスクランブル処理を簡略な回路構成で実現でき、かつデスクランブル処理後も画質の劣化がないようにした構成を備える映像信号処理装置等に関する発明が記載されている。
【００１０】
【特許文献２】特開２０００−３２４４６９号公報
【発明の開示】
【発明が解決しようとする課題】
【００１１】
ところで、従来のＳＤ（Standard Definition）方式の映像信号に比べ、より高精細とされるハイビジョン映像信号のひとつに、有効走査線が１０８０本とされ飛び越し走査を行う１０８０ｉ（インターレース）のコンポーネント信号であるアナログハイビジョン映像信号が知られている。近年、普及しつつあるデジタルハイビジョンを扱う映像機器でも、これまで広く普及してきたアナログ映像機器と接続できるように、デジタルハイビジョン映像信号のみならず、アナログハイビジョン映像信号も入出力できるようにされることが予想される。このため、アナログハイビジョン映像信号についても不正な複製を防止する複製制御方法が望まれる。
【００１２】
しかしながら、アナログハイビジョン映像信号に対しては、映像信号の１９ラインおよび５８２ラインにＣＧＭＳ方式の複製制御情報を重畳することが規格で定められているにすぎない。
【００１３】
上述したアナログ映像信号に対する従来の複製制御方法は、アナログハイビジョン映像信号がＹ／Ｐｂ／Ｐｒ（Ｙは輝度信号を示し、Ｐｂ、Ｐｒは色差信号を示す）のコンポーネント信号であることや、同期信号の仕様がＳＤ方式の同期信号の仕様と異なるため、アナログハイビジョン映像信号の複製制御に用いることができない。このように、アナログハイビジョン映像信号は高精細な映像信号にあるにも関わらず、複製を制御する手段が不十分であるといった問題点があった。
【００１４】
また、ＣＧＭＳ方式では、アナログハイビジョン映像信号の垂直ブランキング期間の所定のラインに複製制御情報「１１」を重畳することで、アナログハイビジョン映像信号の複製を一律に禁止することができる。しかしながら、複製制御情報により複製禁止とされた映像信号を、例えば、特定の機器間でおいてのみ複製可能とすることができないという問題点があった。
【００１５】
したがって、この発明の目的は、例えば、アナログハイビジョン映像信号の伝送と複製を特定の機器間で可能とし、その他の機器では複製を制限することができる映像信号処理装置および映像信号処理方法ならびに映像信号伝送システムを提供することにある。
【課題を解決するための手段】
【００１６】
上述した課題を解決するために、この発明の第１の態様は、高精細アナログコンポーネント信号の所定のラインに重畳された複製制御情報を検出する複製制御情報検出部と、所定のラインとは異なるラインに重畳された認証情報を検出する認証情報検出部と、記録処理を制御する制御部とを備え、複製制御情報によって記録を制御する第１のモードと、複製制御情報および認証情報によって記録を制御する第２のモードとの一方が設定可能とされる映像信号処理装置である。
【００１７】
この発明の第２の態様は、高精細アナログコンポーネント信号の所定のラインに重畳された複製制御情報を検出する複製制御情報検出部と、所定のラインとは異なるラインに重畳された認証情報を検出する認証情報検出部と、記録処理を制御する制御部とを備え、複製制御情報によって記録を制御する第１のモードと、複製制御情報および認証情報によって記録を制御する第２のモードとの一方が設定可能とされ、制御部は第２のモードにおいて、複製制御情報が複製を許可する情報である場合はこの複製制御情報に基づいて記録を行い、複製制御情報が複製を禁止する情報である場合は認証情報を検出し、この認証情報を使用して認証処理を行い、認証が成立する場合は複製が許可されたとして記録を行い、認証が成立しない場合は記録を禁止するように記録処理を制御する映像信号処理装置である。
【００１８】
この発明の第３の態様は、高精細アナログコンポーネント信号の所定のラインに重畳された複製制御情報を検出する複製制御情報検出部と、所定のラインとは異なるラインに重畳された認証情報を検出する認証情報検出部と、記録再生処理を制御する制御部とを備え、複製制御情報によって記録を制御し、さらに出力される映像信号に対して複製制御情報を重畳する第１のモードと、複製制御情報および認証情報によって記録を制御し、さらに出力される映像信号に対して複製制御情報および認証情報を重畳する第２のモードとの一方が設定可能とされる映像信号処理装置である。
【００１９】
この発明の第４の態様は、高精細アナログコンポーネント信号の所定のラインに重畳された複製制御情報を検出する複製制御情報検出ステップと、所定のラインとは異なるラインに重畳された認証情報を検出する認証情報検出ステップと、記録処理を制御する制御ステップとを有し、複製制御情報によって記録を制御する第１のモードと、複製制御情報および認証情報によって記録を制御する第２のモードとの一方が設定可能とされる映像信号処理方法である。
【００２０】
この発明の第５の態様は、高精細アナログコンポーネント信号の所定のラインに重畳された複製制御情報を検出する複製制御情報検出ステップと、所定のラインとは異なるラインに重畳された認証情報を検出する認証情報検出ステップと、記録処理を制御する制御ステップとを有し、複製制御情報によって記録を制御する第１のモードと、複製制御情報および認証情報によって記録を制御する第２のモードとの一方が設定可能とされ、制御ステップは第２のモードにおいて、複製制御情報が複製を許可する情報である場合はこの複製制御情報に基づいて記録を行い、複製制御情報が複製を禁止する情報である場合は認証情報を検出し、この認証情報を使用して認証処理を行い、認証が成立する場合は複製が許可されたとして記録を行い、認証が成立しない場合は記録を禁止するように記録処理を制御するステップである映像信号処理方法である。
【００２１】
この発明の第６の態様は、高精細アナログコンポーネント信号の所定のラインに重畳された複製制御情報を検出する複製制御情報検出ステップと、所定のラインとは異なるラインに重畳された認証情報を検出する認証情報検出ステップと、記録再生処理を制御する制御ステップとを有し、複製制御情報によって記録を制御し、さらに出力される映像信号に対して複製制御情報を重畳する第１のモードと、複製制御情報および認証情報によって記録を制御し、さらに出力される映像信号に対して複製制御情報および認証情報を重畳する第２のモードとの一方が設定可能とされる映像信号処理方法である。
【００２２】
この発明の第７の態様は、映像信号入力装置と映像信号出力装置との間で高精細アナログコンポーネント信号が伝送される映像信号伝送システムにおいて、映像信号入力装置は、高精細アナログコンポーネント信号の所定のラインに重畳された複製制御情報を検出する複製制御情報検出部と、所定のラインとは異なるラインに重畳された認証情報を検出する認証情報検出部と、記録処理を制御する制御部とを備え、複製制御情報によって記録を制御する第１のモードと、複製制御情報および認証情報によって記録を制御する第２のモードとの一方が設定可能とされ、映像信号出力装置は、高精細アナログコンポーネント信号の所定のラインに重畳された複製制御情報を検出する複製制御情報検出部と、所定のラインとは異なるラインに重畳された認証情報を検出する認証情報検出部と、記録再生処理を制御する制御部とを備え、複製制御情報によって記録を制御し、さらに出力される映像信号に対して複製制御情報を重畳する第１のモードと、複製制御情報および認証情報によって記録を制御し、さらに出力される映像信号に対して複製制御情報および認証情報を重畳する第２のモードとの一方が設定可能とされることを特徴とする映像信号伝送システムである。
【発明の効果】
【００２３】
この発明によれば、特定の機器間における固有の認証方法を用いることで、アナログコンポーネント接続でのアナログハイビジョン映像の複製制御を可能とすることができる。
【発明を実施するための最良の形態】
【００２４】
以下、図面を参照しながらこの発明の複数の実施形態について説明する。はじめにこの発明の第１の実施形態における映像信号処理装置１について説明する。映像信号処理装置１は、例えば、カメラ・レコーダである。
【００２５】
映像信号処理装置１は、映像信号を出力端子を介して外部に出力することができる。また、映像信号処理装置１は外部に出力する映像信号に対して複製制御情報を重畳する第１のモード（以下、モード１と称する）と、外部に出力される映像信号に対して複製制御情報および認証情報を重畳する第２のモード（以下、モード２と称する）が設定可能とされる。モード１およびモード２の設定は、例えば、映像信号処理装置１に備えられるボタンなどのユーザインターフェースを操作することで行われる。
【００２６】
図１は、映像信号処理装置１の主要な構成の一例を示す。映像信号処理装置１は、ベースバンド信号処理部１１、エンコーダ（ＥＮＣ）１２、ＭＵＸ／ＤＥＭＵＸ１３、デジタルインターフェース（ＩＦ）１４、回転ヘッド１５、記録再生処理部１７、符号器１８、デコーダ（ＤＥＣ）１９、ＣＰＵ２１、メモリ２２を含む構成とされる。
【００２７】
また、ベースバンド信号処理部１１には、付加情報重畳部２４が備えられる。この付加情報重畳部２４では、設定されたモードに対応して複製制御信号および／または認証情報を映像信号に重畳することができる。
【００２８】
映像信号処理装置１は、例えば、ハイビジョン映像信号を撮像する撮像機能を有する。この撮像処理で得られたハイビジョン撮像信号を、記録媒体の一例である磁気テープ１６に記録することができる。また、映像信号処理装置１は磁気テープ１６に記録されたハイビジョン映像信号を再生し、図示しない出力端子を介して外部に出力することができる。
【００２９】
映像信号処理装置１が記録／再生することができる映像信号のフォーマットは、例えば、ＭＰＥＧ２方式を用いて１４４０画素×１０８０ライン（インターレース）で記録するフォーマットである。
【００３０】
はじめにモード１が設定された映像信号処理装置１の記録時の動作について説明する。ＣＣＤ(Charge Coupled Device)などの、図示しない撮像素子において被写体から入射した光が光電変換により電気信号へと変換される。撮像素子から出力される映像信号はＣＤＳ(Correlated Double Sampling)等において雑音低減処理がされ、所定のアナログ信号処理が施されてベースバンド信号処理部１１に供給される。
【００３１】
ベースバンド信号処理部１１では、映像信号に対して所定のデジタル信号処理が施される。例えば、ベースバンド信号処理部１１に供給された映像信号は、図示しないＡ／Ｄ（Analog to Digital）変換部でデジタル映像信号へと変換される。デジタル映像信号に対して、ゲイン調整、ホワイトバランス処理等のデジタル信号処理が施される。また、ベースバンド信号処理部１１では、映像信号のフォーマットに対応した画サイズ変換処理やカラーシステム変換処理、フィールド処理などが行われる。
【００３２】
ベースバンド信号処理部１１で所定の信号処理が施されたデジタル映像信号は、エンコーダ１２に供給される。エンコーダ１２ではＭＰＥＧ２方式によりエンコードがされ、供給されるデジタル映像信号が圧縮符号化される。圧縮符号化されたデジタル映像信号が、ＭＵＸ／ＤＥＭＵＸ１３に供給される。
【００３３】
ＭＵＸ／ＤＥＭＵＸ１３は、記録時にはマルチプレクサとして動作し、再生時にはデマルチプレクサとして動作する。マルチプレクサとしての動作を説明すると、供給されたデジタル映像信号をそれぞれ所定細部のパケットに分割し、パケット毎にヘッダを付加し、ＭＰＥＧシステムに規定されるパケッタイズドエレメンタリーストリーム（ＰＥＳ）化し、オーディオ信号やシステムデータ、サブコードデータを多重して出力する。
【００３４】
ＭＵＸ／ＤＥＭＵＸ１３から出力されるデジタル映像信号は記録再生処理部１７に供給される。記録再生処理部１７では、供給されるデジタル映像信号に対してエラー訂正処理、記録符号化処理が施される。記録再生処理部１７から出力されるデジタル映像信号が、回転ヘッド１５に供給される。磁気テープ１６への記録は、例えば、回転ヘッド１５が磁気テープ１６に対して斜めにトラックを形成するヘリカルスキャン方式によって行われる。
【００３５】
また、ＭＵＸ／ＤＥＭＵＸ１３から出力されるデジタル映像信号は、デジタルインターフェース１４に供給される。映像信号処理装置１は、このデジタルインターフェース１４を介して例えば、外部のコンピュータ装置等と接続することができ、ＩＥＥＥ（Institute of Electrical and Electronics Engineers）１３９４に対応したデジタル映像信号のやりとりを行うことができる。
【００３６】
次に、モード２が設定された映像信号処理装置１の記録時の動作について説明する。モード２が設定された映像信号処理装置１の記録時の動作は、モード１が設定されたときの記録時の動作と略同様のため、ここでは主にモード１とは異なる処理を説明する。
【００３７】
モード２が設定されるとＣＰＵ２１がＭＵＸ／ＤＥＭＵＸ１３を制御することで、さらに以下の処理が行われる。ＣＰＵ２１による制御により、ＭＵＸ／ＤＥＭＵＸ１３はモード２で記録される映像信号であることをシステムデータとして記録する。例えば、磁気テープ１６のＡＵＸ（Auxilialy）のオプショナルエリアに、１ビットのモードフラグを立てることで記録する。
【００３８】
また、映像信号処理装置１でモード２が設定されているときは、ＭＵＸ／ＤＥＭＵＸ１３において生成されデジタルＩＦ１４から出力されるデジタル映像信号の所定のエリアに１ビットのフラグが立てられる。
【００３９】
次に、モード１が設定された映像信号処理装置１の再生時の動作について説明する。回転ヘッド１５が磁気テープ１６上をトレースすることで再生信号が得られる。得られた再生信号は記録再生処理部１７に供給される。記録再生処理部１７では、供給された再生信号を復調して再生信号を得、得られた再生信号に対してエラー訂正処理等が施される。
【００４０】
記録再生処理部１７から出力される再生信号は、ＭＵＸ／ＤＥＭＵＸ１３に供給される。ＭＵＸ／ＤＥＭＵＸ１３では、供給された再生信号のパケットからヘッダ情報に基づいてデータを取り出し、多重化されて記録されていたデジタル映像信号やデジタルオーディオ信号等を分離し、元のストリームを復元する。復元されたデジタル映像信号は、デコーダ１９に供給される。デコーダ１９では、供給されたデジタル映像信号に対してＭＰＥＧ２方式に基づいて復号処理が行われる。復号処理がされたデジタル映像信号が、ベースバンド信号処理部１１に供給される。
【００４１】
ベースバンド信号処理部１１では、デジタル映像信号に対して所定の信号処理が施される。所定の信号処理が施されたデジタル映像信号は、図示しないＤ／Ａ変換部でアナログ映像信号へ変換され、例えばハイビジョン映像信号である１０８０ｉのアナログコンポーネント信号が得られる。このアナログコンポーネント信号は、ベースバンド信号処理部１１内の付加情報重畳部２４に供給される。
【００４２】
付加情報重畳部２４では、アナログコンポーネント信号に対して複製制御情報が重畳される。複製制御情報は、複製が可能とされる世代を示す情報や複製の可否を示す情報を含む情報である。複製制御情報は、例えば、ＣＧＭＳであり、図示しないＣＧＭＳ発生部で生成されたＣＧＭＳが付加情報重畳部２４においてアナログコンポーネント信号に対して重畳される。ＣＧＭＳは、例えば、アナログコンポーネント信号の輝度信号の１９ラインおよび５８２ラインに重畳される。複製制御情報が重畳されたアナログコンポーネント信号が、図示しない出力端子を介して映像信号処理装置１から出力される。
【００４３】
モード２が設定された映像信号処理装置１の再生時の動作について説明する。回転ヘッド１５が磁気テープ１６上をトレースすることで再生信号が得られる。得られた再生信号は記録再生処理部１７に供給される。記録再生処理部１７では、供給された再生信号を復調して再生信号を得、得られた再生信号に対してエラー訂正処理等が施される。
【００４４】
記録再生処理部１７から出力される再生信号は、ＭＵＸ／ＤＥＭＵＸ１３に供給される。ＭＵＸ／ＤＥＭＵＸ１３では、供給された再生信号のパケットからヘッダ情報に基づいてデータを取り出し、多重化されて記録されていたデジタル映像信号やデジタルオーディオ信号等を分離し、元のストリームを復元する。復元されたデジタル映像信号は、デコーダ１９に供給される。デコーダ１９では、供給されたデジタル映像信号に対してＭＰＥＧ２方式に基づいて復号処理が行われる。復号処理がされたデジタル映像信号が、ベースバンド信号処理部１１に供給される。
【００４５】
ベースバンド信号処理部１１では、デジタル映像信号に対して所定の信号処理が施される。所定の信号処理が施されたデジタル映像信号は、図示しないＤ／Ａ変換部でアナログ映像信号へ変換され、例えばハイビジョン映像信号である１０８０ｉのアナログコンポーネント信号が得られる。このアナログコンポーネント信号は、ベースバンド信号処理部１１内の付加情報重畳部２４に供給される。
【００４６】
一方、モード２が設定されることでＣＰＵ２１は、記録再生処理部１７からＭＵＸ／ＤＥＭＵＸ１３に供給された再生信号における１ビットのモードフラグの有無を検出する。ここでモードフラグが検出されない場合は、付加情報重畳部２４では、モード１と同様にアナログコンポーネント信号に対して複製制御情報が重畳され、映像信号出力装置１から出力される。
【００４７】
モードフラグが検出された場合は、ＣＰＵ２１は符号器１８に対して符号を生成するような制御を行う。ＣＰＵ２１の制御を受けた符号器１８によって認証情報の一例である巡回符号が生成され、生成された巡回符号が付加情報重畳部２４に供給される。なお、認証情報とは、例えば、固有の認証手段を用いて演算が施されることで、演算の結果が一意に規定される情報である。
【００４８】
ここで符号器１８で生成される巡回符号について説明する。符号器１８で巡回符号以外の符号が生成されるようにすることもできるが、生成される符号が巡回符号であることで符号器１８のハードウェアの規模を小さくすることができる。
【００４９】
図２は、この発明の一実施形態における符号器１８の構成の一例を示す。符号器１８は、ｋ次の生成多項式の係数ｇxを帰還接続したシフトレジスタで構成される。
【００５０】
符号器１８における巡回符号の生成について説明する。符号器１８は、全符号長ｎビット、情報部ｍビットを持ち、あらかじめ決められたｋ次の生成多項式を有し、これらの情報は図１におけるメモリ２２に記憶されている。
【００５１】
全符号長に対する多項式をＦ（ｘ）、生成多項式をＧ（ｘ）とするとＦ（ｘ）とＧ（ｘ）間には以下の式（１）が成立し、Ｆ（ｘ）はＧ（ｘ）で除算可能であることが必要とされる。
Ｆ（ｘ）＝Ｇ（ｘ）＊Ｑ（ｘ）・・・・式（１）
【００５２】
ここで、巡回符号の定理より符号ビットの特定の個所に情報部ビットを対応させることを考える。ｍ個の情報部ビットを係数とする多項式をＰ（ｘ）とし、これにｘn-mを乗じて全符号多項式Ｆ（ｘ）の高次のｍ項に対応させると、式（２）の低次のｎ-ｍ＝ｋ項の係数はすべて０になる。
ｘn-m ＊Ｐ（ｘ）・・・・式（２）
【００５３】
式（２）を生成多項式Ｇ（ｘ）で割り、商をＱ（ｘ）余りをＲ（ｘ）とすると式（３）が成立する。
ｘn-m ＊Ｐ（ｘ）＝Ｇ（ｘ）＊Ｑ（ｘ）+ Ｒ（ｘ）・・・・式（３）
【００５４】
式（３）を変形すると、式（４）が得られる。
Ｆ（ｘ）＝Ｇ（ｘ）＊Ｑ（ｘ）＝ｘn-m ＊Ｐ（ｘ）+ Ｒ（ｘ）・・・・式（４）
【００５５】
これより情報部ビットは全符号多項式Ｆ（Ｘ）の（ｎ-１）次から（ｎ-ｍ＝ｋ）次までの係数として扱うことができる。またＲ（ｘ）がｋビットの検査符号に相当する。以上のような符号構成により多項式Ｆ（ｘ）に対応する符号を生成する。
【００５６】
図３は、全符号多項式の係数より得られるコードワードの一例を示す。図３において、Ｆ（ｘ）の高次のｍ項は式（２）より元々はＰ（ｘ）の各係数から生成されるもので、その係数は式（４）を満たすものだけに限定される。なお、図３に示すコードワードはｎビットの情報として図示されているが、コードワード長は重畳されるライン内に収まる範囲内で可変とされる。
【００５７】
再び図１に戻り説明する。符号器１８で生成された巡回符号は、ベースバンド信号処理部１１の付加情報重畳部２４に供給される。付加情報重畳部２４では、上述したアナログコンポーネント信号に符号器１８で生成された巡回符号が認証情報として重畳される。また、付加情報重畳部２４では、複製制御情報が重畳される。
【００５８】
重畳される複製制御情報について説明する。複製制御情報は、例えば、ＣＧＭＳであり、アナログコンポーネント信号の輝度信号の垂直ブランキング期間の１９ラインと５８２ラインに重畳される。
【００５９】
図４は、１０８０ｉ方式のアナログコンポーネント信号におけるＣＧＭＳのコードワードの一例を示す。１０８０ｉ方式のアナログコンポーネント信号の場合は、輝度信号の垂直ブランキング期間の１９ラインおよび５８２ラインの有効映像部分に重畳する２０ビットの付加情報のうち、２ビットを複製制御用の情報として重畳する。例えば、この第１の実施形態では図４に示すように、７、８ビット目がＣＧＭＳに使用される。勿論、規格等によって７、８ビット以外のビットが複製制御用の情報に用いられるときはそれに従う。なお、他のコードワード、例えば、先頭の２ビット（ワード１）や次の４ビット（ワード２）などについては、詳細な内容が決められていないため「＊」で示す。
【００６０】
次に、重畳される認証情報について説明する。認証情報が重畳される位置は、例えば、アナログコンポーネント信号の垂直ブランキング期間の垂直同期信号部を除いた所定のラインに重畳される。なお、１０８０ｉのアナログコンポーネント映像信号では輝度信号の垂直ブランキング期間の１９ラインと５８２ラインにＣＧＭＳなどの複製制御情報を重畳することが規格で規定されている。従って、認証情報は規格で定められたラインとは異なるラインに重畳される。
【００６１】
また、認証情報が重畳される位置はアナログコンポーネント信号の輝度信号の垂直ブランキング期間の所定のラインであることが好ましい。これは、輝度信号の垂直ブランキング期間に複製制御信号と認証情報を重畳することで、複製制御信号と認証情報の検出時に輝度信号の垂直ブランキング期間における信号のみを検出すれば良く、検出側のハードウェア的な回路構成を簡略化することができるからである。さらに、認証情報は、毎フィールドの垂直ブランキング期間の所定のラインに重畳されるようにしても良い。認証情報が毎フィールドの所定のラインに重畳されることで、映像信号処理装置１と接続された機器において認証情報の検出が早く行えるようになる。
【００６２】
認証情報をアナログコンポーネント信号に重畳する際の信号波形やレベルは、例えば、規格のひとつであるＥＩＡＪ(Electronic Industries Association of Japan)１２０４−２の識別信号波形仕様に基づくものとされる。このようにして、アナログコンポーネント信号の所定のラインに認証情報が重畳される。
【００６３】
以上説明したように、モード１が設定された映像信号処理装置１からは複製制御情報が重畳されたハイビジョンのアナログコンポーネント信号が出力される。また、モード２が設定された映像信号処理装置１からは、複製制御情報および認証情報が重畳されたハイビジョンのアナログコンポーネント信号が出力される。
【００６４】
次に、この発明の第２の実施形態における映像信号処理装置４１について説明する。映像信号処理装置４１は、例えば回転ヘッド式のＶＴＲなどである。映像信号処理装置４１は、複製制御情報によって記録を制御し、さらに出力される映像信号に対して複製制御情報を重畳する第１のモード（以下、モード１と称する）と、上記複製制御情報および上記認証情報によって記録を制御し、さらに出力される映像信号に対して複製制御情報および認証情報を重畳する第２のモード（以下、モード２と称する）の一方が設定可能とされる。
【００６５】
図５は、この発明の第２の実施形態における映像信号処理装置４１の主要な構成の一例を示す。映像信号処理装置４１は、ベースバンド信号処理部５１、エンコーダ５２、ＭＵＸ／ＤＥＭＵＸ５３、デジタルインターフェース５４、回転ヘッド５５、記録再生処理部５７、デコーダ５９を含む構成とされる。また、映像信号処理装置４１は、ＣＰＵ５８、符号器６０、メモリ６１、ＣＰＵ６２、復号器６３、メモリ６４を含む構成とされる。
【００６６】
また、ベースバンド信号処理部５１にはＣＧＭＳを検出するＣＧＭＳ検出部６５、認証情報を検出する認証情報検出部６６、設定されるモードに応じて複製制御情報および／または認証情報が重畳される付加情報重畳部６７が含まれる。
【００６７】
この映像信号処理装置４１に対して、例えば、複製制御信号および認証情報が重畳された１０８０ｉのハイビジョン映像信号であるアナログコンポーネント信号が入力され、磁気テープ５６に記録される。
【００６８】
はじめにモード１が設定された映像信号処理装置４１の記録時の動作について説明する。映像信号処理装置４１に入力されたアナログコンポーネント信号は、ベースバンド信号処理部５１に供給される。ベースバンド信号処理部では、複製制御情報の検出が行われる。すなわち、ベースバンド信号処理部５１内のＣＧＭＳ検出部６５によってＣＧＭＳの検出が行われる。ＣＧＭＳの検出は、アナログコンポーネント信号の輝度信号の垂直ブランキング期間の１９ラインおよび５８２ラインに重畳された２ビットの情報を抽出することで行われる。
【００６９】
検出されたＣＧＭＳの情報は、ＣＰＵ６２に送られる。ＣＰＵ６２は検出されたＣＧＭＳに基づいて記録処理を制御する。すなわち、ＣＧＭＳが「００」、「１０」であれば、アナログコンポーネント信号を磁気テープ５６に記録する処理を継続する。ＣＧＭＳが「１１」であれば複製が禁止されるので、ＣＰＵ６２は、例えば、ＭＵＸ／ＤＥＭＵＸ５３を制御して記録処理が行われないようにする。なお、アナログコンポーネント信号が磁気テープ５６に記録される際にエンコーダ５２、ＭＵＸ／ＤＥＭＵＸ５３、デジタルインターフェース５４、記録再生処理部５７、回転ヘッド５５では、例えば、上述した映像信号処理装置１の対応する部分と同様の処理が行われるため、重複した説明は省略する。
【００７０】
次にモード２が設定された映像信号処理装置４１の記録時の処理について説明する。映像信号処理装置４１に入力されたアナログコンポーネント信号は、ベースバンド信号処理部５１に供給される。ベースバンド信号処理部５１内のＣＧＭＳ検出部６５によってＣＧＭＳの検出が行われる。ＣＧＭＳの検出は、アナログコンポーネント信号の輝度信号の垂直ブランキング期間の１９ラインおよび５８２ラインに重畳された２ビットの情報を抽出することで行われる。
【００７１】
検出されたＣＧＭＳの情報は、ＣＰＵ６２に送られる。ＣＰＵ６２は検出されたＣＧＭＳに基づいて記録処理を制御する。すなわち、ＣＧＭＳが「００」、「１０」であれば、アナログコンポーネント信号を磁気テープ５６に記録する処理を継続する。
【００７２】
ＣＧＭＳが「１１」であり複製を禁止する情報である場合は、さらに認証情報検出部６６によって認証情報の検出が行われる。認証情報の検出は、例えば、アナログコンポーネント信号の輝度信号の垂直ブランキング期間の所定のライン（但し、ＣＧＭＳが重畳されたラインとは異なるライン）に重畳された情報を抽出することで行われる。ここで、認証情報が検出されないときは、ＣＧＭＳに従い、入力されるアナログコンポーネント信号の複製が禁止されているものとして記録処理は行われない。
【００７３】
認証情報検出部６６によって認証情報が検出されると、検出された認証情報を使用して認証処理が行われる。認証処理では、例えば、ＣＰＵ６２が復号器６３を制御し、復号器６３によって認証情報に対して演算が行われる。この一実施形態では認証情報の一例として巡回符号を用いて説明したことから、復号器６３では巡回符号を復号する処理が行われる。
【００７４】
図６は、この発明の一実施形態における復号器６３の一例を示す。復号器６３には、認証情報検出部６６からｎビットで構成される全符号Ｆ（ｘ）の各係数が入力される。また、メモリ６４に記憶されている固有の認証手段の一例である生成多項式Ｇ（ｘ）の各係数（ｇn-k、ｇn-k-1・・ｇ0）が復号器６３の帰還接続部に入力される。
【００７５】
復号器６３で所定の演算が行われると、復号器６３の出力は、例えば上述した式（４）で示した全符号多項式となる。この復号器６３から出力される全符号多項式の余りであるＲ（ｘ）の有無を判定する。
【００７６】
Ｒ（ｘ）＝０で余りがない場合は、Ｆ（ｘ）を固有の認証手段であるＧ（ｘ）で割り切れたことから認証が成立したものとされる。認証が成立すると複製が許可されたものとして、ＣＰＵ６２は記録処理を行う。Ｒ（ｘ）≠０で余りがある場合は、Ｆ（ｘ）を固有の認証手段であるＧ（ｘ）で割り切れないことから認証が成立しないとされる。認証が成立しないときはＣＧＭＳの「１１」に従い、ＣＰＵ６２は記録を禁止するように記録処理を制御する。
【００７７】
固有の認証手段の一例であるＧ（ｘ）を有しない映像信号処理装置では、認証処理が行えないためＣＧＭＳの「１１」によって複製が禁止される。このように、この発明では、固有の認証手段を用いることで特定の機器間におけるアナログコンポーネント信号の複製制御が可能となる。また、この発明では映像信号の出力側の機器と入力側の機器とで、例えば、相互通信を行うなどの処理は不要となる。
【００７８】
さらに、固有の機器間においても複製を禁止する場合は、例えば、第１の実施形態で説明した映像信号処理装置１のような映像信号の出力側において、複製の禁止を示す複製制御情報のみを映像信号に重畳すれば良い。すなわち、映像信号処理装置４１に複製制御情報のみが重畳されたアナログコンポーネント信号が入力される場合は、映像信号処理装置４１は当該複製制御情報によって記録処理を制御する。従って、複製制御情報が禁止を示す情報である場合は記録処理は行われず、固有の機器間においても複製が禁止される。
【００７９】
映像信号処理装置４１は、磁気テープ５６を再生して得られる映像信号を外部に出力することができる。映像信号処理装置４１において、モード１が設定されて磁気テープ５６が再生されると、磁気テープ５６から再生される映像信号に対して複製制御情報が重畳されて映像信号出力装置４１から出力される。また、モード２が設定されて磁気テープ５６が再生されると、磁気テープ５６から再生される映像信号に対して複製制御情報および認証情報が重畳されて映像信号出力装置４１から出力される。モード２が設定されて磁気テープ５６の再生が行われるときに、再生される映像信号にすでに認証情報が重畳されている場合は、改めて認証情報を上書きするようにしても良いし、認証情報を重畳する処理を行わないようにしても良い。
【００８０】
なお、付加情報重畳部６７、ＣＰＵ５８、符号器６０、メモリ６１によって複製制御情報や認証情報が映像信号に重畳される処理は、例えば、第１の実施形態で説明した映像信号処理装置１で説明した処理と同様の処理とされるため重複した説明を省略する。
【００８１】
図７は、モード２が設定された映像信号処理装置４１で行われる処理の流れを示すフローチャートである。ステップＳ１では映像信号処理装置４１のモードがモード２であるか否かが判別される。ステップＳ１においてモード２であるときは、処理はステップＳ２に進む。モード２でないときは、処理はステップＳ５に進む。ステップＳ５では、ＣＧＭＳに準拠した処理が行われる。
【００８２】
ステップＳ２では、１９ラインと５８２ラインに重畳されたＣＧＭＳを検出する。検出したＣＧＭＳが「００」もしくは「１０」である場合は、処理がステップＳ５に進むＣＧＭＳに準拠した処理が行われる。ＣＧＭＳが「１１」である場合は、処理がステップＳ３に進む。
【００８３】
ステップＳ３では、認証情報が検出され、検出された認証情報に対して認証処理が行われる。認証処理は、例えば、認証情報に対して固有の認証手段を用いた演算が施されることで行われる。認証処理により認証が成立した場合は、複製が許可されたもとして処理がステップＳ４に進む。ステップＳ４において記録処理が行われ、処理が終了する。
【００８４】
ステップＳ３において認証が不成立の場合は、処理がステップＳ５に進む。ステップＳ５ではＣＧＭＳに準拠した処理が行われる。ここではＣＧＭＳが「１１」であり複製禁止とされることから記録は行われない。
【００８５】
この発明は、図８に構成の一例を示すテレビチューナやセットトップボックスなどの映像信号処理装置に対しても適用することができる。例えば、ＢＳ（Broadcasting Satellite）チューナは受信したアナログハイビジョン映像信号をベースバンド信号にデコードしてアナログコンポーネント信号として出力する。このとき、受信されるアナログハイビジョン映像信号にはＣＧＭＳが重畳されている。ＣＧＭＳが「１１」である場合に、例えば、映像信号処理装置４１のモード２に対応するモードが設定されることで、ＢＳチューナは、輝度信号の垂直ブランキング期間の所定のラインに認証情報を重畳して出力する。
【００８６】
テレビチューナやセットトップボックスにこの発明を適用することで、放送される映像信号の複製が禁止とされた場合でも、例えば、著作権者の許諾を得た特定の者だけに映像信号の複製を許可するようにすることができる。
【００８７】
この発明は、この発明の要旨を逸脱しない範囲内でさまざまな変形や応用が可能であり、上述した一実施形態に限定されることはない。例えば、図５に示した映像信号処理装置４１では、主として記録処理を制御するＣＰＵ５８および主として再生処理を制御するＣＰＵ６２を備える構成としたが、記録再生処理を制御する１又はより多くのＣＰＵを備える構成としても良い。
【００８８】
また、この発明は、例えば、映像信号処理装置１を映像信号出力装置とし、映像信号処理装置４１を映像信号入力装置として、映像信号入力装置と映像信号出力装置との間でハイビジョンのアナログコンポーネント信号が伝送される映像信号伝送システムとして構成することもできる。
【図面の簡単な説明】
【００８９】
【図１】この発明の第１の実施形態における映像信号処理装置の構成の一例を示すブロック図である。
【図２】この発明の第１の実施形態における符号器の構成の一例を示す略線図である。
【図３】この発明の第１の実施形態における符号器において全符号多項式の係数より得られるコードワードの一例を示す略線図である。
【図４】この発明の第１の実施形態におけるＣＧＭＳのコードワードを示す略線図である。
【図５】この発明の第２の実施形態における映像信号処理装置の構成の一例を示すブロック図である。
【図６】この発明の第２の実施形態における復号器の構成の一例を示す略線図である。
【図７】この発明の第２の実施形態における、モード２が設定された映像信号処理装置で行われる処理の流れを示すフローチャートである。
【図８】この発明の映像信号処理装置の他の例の構成を示すブロック図である。
【符号の説明】
【００９０】
１          映像信号処理装置
１３        ＭＵＸ／ＤＥＭＵＸ
２１        ＣＰＵ
２４        付加情報重畳部
４１        映像信号処理装置
５８、６２  ＣＰＵ
６５        ＣＧＭＳ検出部
６６        認証情報検出部
６７        付加情報重畳部
【図１】
2006313957.tif 000003
【図２】
2006313957.tif 000004
【図３】
2006313957.tif 000005
【図４】
2006313957.tif 000006
【図５】
2006313957.tif 000007
【図６】
2006313957.tif 000008
【図７】
2006313957.tif 000009
【図８】
2006313957.tif 000010